(57)【要約】【課題】アドレス時および打球時における重要な観点について総合的にパッティングフォームの矯正を行う。【解決手段】一対の側壁部材２Ｌ，２Ｒを含み、側壁部材２Ｌ，２Ｒは、一対の糸３，４を装着するための装着孔ｈ１〜ｈ４を有し、ゴルフクラブの移動方向を案内するために基準面から離間して設置される案内バー５と、案内バー５と基準面との距離を調整する調整機構６Ｌ，６Ｒとを備える。【選択図】図１
2013094550.tif 000002
【特許請求の範囲】
【請求項１】
互いに離間して設置される一対の支持部材を少なくとも含むゴルフパッティング練習用具であって、
上記一対の支持部材は、上記ゴルフパッティング練習用具が設置される設置面に対して垂直に起立する所定の基準面に含まれるように張られる一対の線状部材を装着するための一対の装着孔を有し、
上記一対の支持部材によって支持され、ゴルフクラブの移動方向を案内するために上記基準面から離間して設置される案内部材と、
上記案内部材と上記基準面との距離を調整する調整機構とを備えることを特徴とするゴルフパッティング練習用具。
【請求項２】
さらに、上記一対の線状部材を含み、
上記一対の装着孔に対応して上記一対の線状部材が装着され、
上記案内部材が、上記基準面から所定の距離だけ離間して設置されていることを特徴とする請求項１に記載のゴルフパッティング練習用具。
【請求項３】
上記一対の支持部材の少なくとも一方は、
透明部材から構成されており、通常の使用状態における下方側の端にボールを通過させるための第１の通過口が形成されていることを特徴とする請求項１または２に記載のゴルフパッティング練習用具。
【請求項４】
上記第１の通過口の開口面積よりも小さな開口面積の第２の通過口を有する交換部材を含み、
上記一対の支持部材の少なくとも一方に対して、上記第２の通過口が上記第１の通過口の内側に位置するように、上記交換部材が設置されていることを特徴とする請求項３に記載のゴルフパッティング練習用具。
【請求項５】
上記一対の装着孔のそれぞれに装着された上記一対の線状部材のそれぞれの一端に錘が設けられており、
上記一対の線状部材のそれぞれの他端から上記一端までの長さが可変となっていることを特徴とする請求項１から４までのいずれか１項に記載のゴルフパッティング練習用具。
【発明の詳細な説明】
【技術分野】
【０００１】
本発明は、所望の場所でパッティングの練習を行うことができるゴルフパッティング練習用具に関する。
【背景技術】
【０００２】
ゴルフのパッティングにおいてアドレス時に要求される重要な観点としては、
（１）鉛直真下を見たときのプレイヤーの視点の位置が、ゴルフボール（以下、単に「ボール」という）の真上から見たときの中心の位置と一致するようにプレイヤーの目の位置を固定すること。ここで、プレイヤーの視点の位置とはプレイヤーの視線がそそがれる所の位置、と定義し、以下同様とする。
（２）上記（１）とともに両肩が目標の打球方向に対してほぼ平行になるように安定した姿勢を保つこと。
（３）アドレス時におけるゴルフパター（以下、単に「パター」という）のヘッドのフェイス面（以下、単に「フェイス面」という）の向きが打球方向と直角になっていることなどを挙示することができる。
【０００３】
一方、打球時に要求される重要な観点としては、
（４）上記（１）および（２）とともにフェイス面の向きを変えることなく打球方向にスイングすることなどを挙示することができる。
【０００４】
すなわち、ゴルフのパッティングでは、上記のプレイヤーの目の位置、姿勢、フェイス面の向き、および、スイング方向などようなアドレス時および打球時に要求される重要な観点について総合的に矯正してパッティングフォームを固める練習が不可欠である。
【０００５】
特許文献１に開示されたパットスイング練習器具では、２本の支柱を起立させた状態で離隔配置し、支柱間に一対の糸もしくは紐を張っている。
【０００６】
また、特許文献２に開示されたパッティングストローク矯正用練習具では、両端に安定台座を組合せて形成されたガイドスタンド間の一対のガイドレールにより直線状のガイドスリットを確保し、パターのフェイス面の向きを矯正する矯正部材を遊嵌させた状態でストロークさせるようになっている。
【０００７】
また、特許文献３に開示されたパッティング練習用具では、左右一対の支持体間に、パターのシャフトを案内する案内部材（棒またはひも等）を架設し、シャフトを案内部材に接触させた状態でストロークさせるようになっている。
【０００８】
なお、パットスイング練習用具に関するものではないが特許文献４〜６には、様々なライ角（シャフトとヘッドのなす角）を有するパターが開示されている。
【先行技術文献】
【特許文献】
【０００９】
【特許文献１】実用新案登録第３０８３８６７号明細書（２００１年１１月２１日登録）
【特許文献２】特開平６−２０５８６３号公報（１９９４年７月２６日公開）
【特許文献３】特開平１０−２４８９８４号公報（１９９８年９月２２日公開）
【特許文献４】特開２００９−１０６４００号公報（２００９年５月２１日公開）
【特許文献５】特開２００９−１３６６３８号公報（２００９年６月２５日公開）
【特許文献６】特開２００９−２７３５８２号公報（２００９年１１月２６日公開）
【発明の概要】
【発明が解決しようとする課題】
【００１０】
しかしながら、上記特許文献１に開示されたパットスイング練習器具では、支柱間に張った一対の糸もしくは紐が、プレイヤーの目の位置を固定する際の客観点な基準となるため、静的なプレイヤーの目の位置、姿勢およびフェイス面の向きについては矯正できるかもしれないが、動的な打球時（パッティング時）の姿勢およびスイング方向を精度良く矯正することができないという問題点がある。
【００１１】
例えば、特許文献１に開示されたパットスイング練習器具では、パッティングスイングを強制的に矯正できる案内部材のようなものがないため、反復練習をする際、パッティングスイング毎にパターのヘッドの動き（軌道）のばらつきを生じ、精度良くスイング方向を目標の打球方向に一致させることが困難である。
【００１２】
一方、特許文献２に開示されたパッティングストローク矯正用練習具ではフェイス面の向きとスイング方向の矯正ができ、特許文献３に開示されたパッティング練習用具では、スイング方向のみを矯正できるかもしれないが、いずれも鉛直真下を見たときのプレイヤーの視点の位置が、ボールの真上から見たときの中心の位置と一致するようにプレイヤーの目の位置を固定する際の客観的な基準がなく、プレイヤーの目の位置を固定することが難しい。
【００１３】
したがって、反復練習をする際、パッティングスイング毎にプレイヤーの目の位置のばらつきを生じ、その結果、頭からつま先まで体全体の姿勢を固め難いという問題点がある。
【００１４】
すなわち、上記の各文献に開示された技術の各々では、アドレス時および打球時における重要な観点について総合的にパッティングフォームの矯正を行うことができないという問題点がある。
【００１５】
言い換えれば、上記の各文献に開示された技術では、静的なアドレス時から動的なパッティング時までの一連の動作全体を通して（終始一貫して）理想的なパッティングフォームを習得することは困難である。
【００１６】
本発明は、前記従来の問題点に鑑みなされたものであって、その目的は、パターのシャフトとヘッドとの間の角度＜ライ角＞の差異などのゴルフクラブの構造上の違いに関わらず、アドレス時および打球時における重要な観点について総合的にパッティングフォームの矯正を行うことができるゴルフパッティング練習用具を提供することにある。
【課題を解決するための手段】
【００１７】
本発明のゴルフパッティング練習用具は、上記の課題を解決するために、互いに離間して設置される一対の支持部材を少なくとも含むゴルフパッティング練習用具であって、上記一対の支持部材は、上記ゴルフパッティング練習用具が設置される設置面に対して垂直に起立する所定の基準面に含まれるように張られる一対の線状部材を装着するための一対の装着孔を有し、上記一対の支持部材によって支持され、ゴルフクラブの移動方向を案内するために上記基準面から離間して設置される案内部材と、上記案内部材と上記基準面との距離を調整する調整機構とを備えることを特徴とする。
【００１８】
上記構成によれば、一対の線状部材を対応する一対の装着孔に装着し、支持部材間に一対の線状部材が張られた状態において、アドレス時に鉛直真下を見たときに一対の線状部材が互いに重るようにプレイヤーの目の位置を移動させれば、プレイヤーの視点の位置を、ボールの真上から見たときの中心の位置に一致させることができる。
【００１９】
すなわち、一対の線状部材が、鉛直真下を見たときのプレイヤーの視点の位置を、ボールの真上から見たときの中心の位置に一致させる際の客観的な基準となり、一対の線状部材が互いに重なるようにプレイヤーの目の位置を移動させれば視点の位置が定まり、その視点の位置とボールの真上から見たときの中心の位置が一致する正しい位置にボールを置くことができる。
【００２０】
併せて、設置面に対して垂直に起立し、かつ、ボールの中心を通る所定の基準面上（同一鉛直平面上）にプレイヤーの目が固定されるので、頭からつま先まで体全体の姿勢を固め易くなる。
【００２１】
すなわち、一対の線状部材が、鉛直真下を見たときのプレイヤーの視点の位置を、ボールの真上から見たときの中心の位置に一致させる際の客観的な基準となり、一対の線状部材が互いに重なるようにプレイヤーの目の位置を移動させれば視点の位置が定まり、正しい位置にボールを置くことができる。
【００２２】
次に、一対の線状部材の延在する方向と、ゴルフパター（以下、単に「パター」という）のヘッドのフェイス面（以下、単に「フェイス面」という）の向きとを直角にすることで、アドレス時にフェイス面の向きが目的の打球方向と直角になっていることを確認することができる。
【００２３】
また、一対の線状部材の延在する方向、または案内部材が延在する方向と、両肩が延在する方向とをほぼ一致させることにより、アドレス時および打球時において、両肩が目標の打球方向に対してほぼ平行になるように姿勢を安定して保つことができる。
【００２４】
また、案内部材にパターのシャフトを接触させた状態でストロークすることにより、スイング方向を精度良くほぼ打球方向に一致させることができる。
【００２５】
さらに、ボールの上方からみて線状部材の延在する方向に沿って視線を移動させればプレイヤーは容易に転がるボールに視線を追従させることができる。
【００２６】
また、アドレス時にプレイヤーの視点の位置を、ボールの真上から見たときの中心の位置に置くことで、ボールの中心と、案内部材により案内されるパターのヘッドのフェイス面の中心（スイートスポット）とを一致させた状態からの打撃を行い、打撃されたボールのころがりの経路（軌道）と一対の線状部材の延在する方向とのずれを矯正していく練習を行うことにより、安定したパッティングフォームを固めることができる。
【００２７】
ここで、特に上記特許文献１と他の文献とを組合せて本発明のゴルフパッティング練習用具を為すことが容易でない点について説明する。
【００２８】
特許文献１の技術の解決課題は、案内部材に頼ることなく練習することである。よって、案内部材を構成に含めることは意識的（積極的）に除外されており、案内部材に頼る技術との組合せを大きく阻害している。
【００２９】
したがって、案内部材に頼らないことを技術思想とする特許文献１と、案内部材（すなわち矯正部材）に頼ることを技術思想とする特許文献２や特許文献３とを組合せるための「課題の共通性」、「作用・機能の共通性」、「記載内容中の示唆」などの動機付けは何ら存在しないため、それらを組合せて本発明のゴルフパッティング練習用具を為すことは困難である。
【００３０】
すなわち、上述したように、アドレス時および打球時における重要な観点について、総合的にパッティングフォームの矯正を行う、言い換えれば、静的なアドレス時から動的なパッティング時までの一連の動作全体を通して（終始一貫して）理想的なパッティングフォームを習得するという、従来にない新たな課題に着目し、それを解決するため、本発明のゴルフパッティング練習用具では、上記の構成としている。
【００３１】
一方で、上記の特許文献４〜６に示すように、様々なライ角（シャフトとヘッドのなす角）を有するパターが存在する。
【００３２】
このため、単に案内部材と基準面との間の距離を単純に固定しただけの構成では様々なライ角を有するパターに適応させることができないという新たな問題点が生じる。この問題点は、言うまでもなく上記各文献のいずれにも記載ないし示唆のない新規な問題点であると考えられる。
【００３３】
このようなさらなる新規な問題点を克服するため、改良を重ね本発明のゴルフパッティング練習用具では、さらには、案内部材と基準面との距離を調整する調整機構を備える構成としている。これにより、案内部材と基準面との距離を適宜調整することができる。つまり、初期の案内部材の位置調整時において一対の糸状部材が重なって見える位置に視点の位置を固定した状態で観察し、使用するゴルフパターのシャフトを案内部材に当接させながら一対の糸状部材とゴルフパターヘッドのスイートスポットが一直線上に合致するように案内部材の位置を可変調整できるので、容易かつ正確に案内部材と基準面との距離を調整することができる。これにより、一対の糸状部材が案内部材の位置を調整する際の基準となり、現物合わせが容易となる。また、上記の特許文献４〜６に示すゴルフクラブの構造上の違い（例えば、パターのシャフトとヘッドとの角度＜ライ角＞の差異）にも対応が容易である。
【００３４】
以上により、パターのシャフトとヘッドとの間の角度＜ライ角＞の差異などのゴルフクラブの構造上の違いに関わらず、アドレス時および打球時における重要な観点について総合的にパッティングフォームの矯正を行うことができる。
【００３５】
言い換えれば、ゴルフクラブの構造上の違いに関わらず、静的なアドレス時から動的なパッティング時までの一連の動作全体を通して（終始一貫して）理想的なパッティングフォームを習得することができる。
【００３６】
なお、本発明のゴルフパッティング練習用具によれば、使用の際は、一対の支持部材間に一対の線状部材を張り、案内部材を設置すれば良いので、分解、組立ておよび設置が容易で、実際にプレーするグリーン上でも簡単に練習ができるという副次的効果も期待できる。
【００３７】
そして、実際にプレーするグリーン上で離間して設置すれば、パッティングラインが実際にプレーするグリーン上と同じ状況となり、気候や天候などで左右されるグリーンコンディションを十分反映させることができるため、より実戦的な練習用具として活用できる。
【００３８】
また、本発明のゴルフパッティング練習用具は、上記の構成に加えて、さらに、上記一対の線状部材を含み、上記一対の装着孔に対応して上記一対の線状部材が装着され、上記案内部材が、上記基準面から所定の距離だけ離間して設置されていることが好ましい。
【００３９】
上記の構成によれば、実際に本発明のゴルフパッティング練習用具を使用してアドレス時および打球時における重要な観点について総合的にパッティングフォームの矯正を行うことができる。
【００４０】
また、本発明のゴルフパッティング練習用具は、上記の構成に加えて、上記一対の支持部材の少なくとも一方は、透明部材から構成されており、通常の使用状態における下方側の端にボールを通過させるための第１の通過口が形成されていても良い。
【００４１】
上記の構成によれば、グリーン上のホール際でゴルフパッティング練習用具を用いてカップインまでの打撃練習を行う場合には、支持部材自体がカップまでのパッティングラインを視覚的に遮断することがないため、プレイヤーがパッティングする前にカップまでの距離感を明確にイメージできる。
【００４２】
また、支持部材を介してボールのころがりの経路（軌道）を視認できるので、例えば、ホール際で本発明のゴルフパッティング練習用具を用いた場合には支持部材の通過口の通過位置からホールの間における軌道の確認をしながら行うパッティングフォームの矯正も容易となる。
【００４３】
また、本発明のゴルフパッティング練習用具は、上記の構成に加えて、上記第１の通過口の開口面積よりも小さな開口面積の第２の通過口を有する交換部材を含み、上記一対の支持部材の少なくとも一方に対して、上記第２の通過口が上記第１の通過口の内側に位置するように、上記交換部材が設置されていても良い。
【００４４】
上記の構成によれば、容易に開口面積の異なる交換部材に交換できるため、使用者のレベルに応じてパッティングの難易度を可変できる。つまり、上級者は、初級者に比べより開口面積の小さい第２の通過口を有する交換部材に交換することにより、レベルに応じた練習が可能となる。
【００４５】
また、本発明のゴルフパッティング練習用具は、上記の構成に加えて、上記一対の装着孔のそれぞれに装着された上記一対の線状部材のそれぞれの一端に錘が設けられており、上記一対の線状部材のそれぞれの他端から上記一端までの長さが可変となっていても良い。
【００４６】
上記の構成によれば、一対の支持部材の間の距離が変化しても、一定の張力（線状部材に作用する張力）が得られるため、支持部材の傾きや風の影響による一対の線状部材の位置の変動（揺動）が生じにくい。
【００４７】
また、一対の支持部材が設置されるときの設置間隔を変え、練習するパッティング距離を可変としても、それに応じて一対の錘のそれぞれの位置を変更するだけで所定の張りが得られるので任意のパッティング距離に応じたバックストローク幅の習得が容易となる。
【発明の効果】
【００４８】
本発明のゴルフパッティング練習用具は、以上のように、上記一対の支持部材は、上記ゴルフパッティング練習用具が設置される設置面に対して垂直に起立する所定の基準面に含まれるように張られる一対の線状部材を装着するための一対の装着孔を有し、上記一対の支持部材によって支持され、ゴルフクラブの移動方向を案内するために上記基準面から離間して設置される案内部材と、上記案内部材と上記基準面との距離を調整する調整機構とを備える構成である。
【００４９】
それゆえ、パターのシャフトとヘッドとの間の角度＜ライ角＞の差異などのゴルフクラブの構造上の違いに関わらず、アドレス時および打球時における重要な観点について総合的にパッティングフォームの矯正を行うことができるという効果を奏する。
【図面の簡単な説明】
【００５０】
【図１】本発明の実施の一形態であるゴルフパッティング練習用具１の全体構成を示す斜視図である。
【図２】ゴルフパッティング練習用具１の使用方法について説明するための説明図である。
【図３】図１に示す側壁部材２Ｌ側から見たときのゴルフパッティング練習用具１の各側面の様子を示す図であり、（ａ）は、側壁部材２Ｌに向かって左側の側面の様子を示し、（ｂ）は、上側の側面の様子を示し、（ｃ）は、右側の側面の様子を示す。
【図４】ゴルフパッティング練習用具１の使用時の状態の一例を示す図である。
【図５】ゴルフパッティング練習用具１の使用時の状態の他の一例を示す図である。
【図６】ゴルフパッティング練習用具１の使用時の状態のさらに他の一例を示す図である。
【発明を実施するための形態】
【００５１】
本発明の一実施形態について図１〜図６に基づいて説明すれば、次の通りである。以下の特定の項目で説明する構成以外の構成については、必要に応じて説明を省略する場合があるが、他の項目で説明されている場合は、その構成と同じである。また、説明の便宜上、各項目に示した部材と同一の機能を有する部材については、同一の符号を付し、適宜その説明を省略する。
【００５２】
（ゴルフパッティング練習用具）
図１は、本発明の実施の一形態であるゴルフパッティング練習用具１の全体構成を示す斜視図である。図２は、ゴルフパッティング練習用具１の使用方法について説明するための説明図である。
【００５３】
図３は、図１に示す側壁部材２Ｌ側から見たときのゴルフパッティング練習用具１の各側面の様子を示す図である。なお、図３（ａ）は、側壁部材２Ｌに向かって左側の側面の様子を示し、図３（ｂ）は、上側の側面の様子を示し、図３（ｃ）は、右側の側面の様子を示している。
【００５４】
図４は、ゴルフパッティング練習用具１の使用時の状態の一例を示す図である。図５は、ゴルフパッティング練習用具１の使用時の状態の他の一例を示す図である。図６は、ゴルフパッティング練習用具１の使用時の状態のさらに他の一例を示す図である。
【００５５】
図１、図３および図４（または図５）に示すように、ゴルフパッティング練習用具１は、一対の側壁部材（支持部材）２Ｌ，２Ｒ、一対の糸（線状部材）３，４、一対の糸巻き器（錘）３ｂ，４ｂ、案内バー（案内部材）５、調整機構６Ｌ，６Ｒ、梁部材７、梁部材８、ボール挿通プレート（交換部材）９ａ、設置面固定用部材ｄ１‐Ｌ、設置面固定用部材ｄ１‐Ｒ、設置面固定用部材ｄ２‐Ｌ、および設置面固定用部材ｄ２‐Ｒを少なくとも含む。
【００５６】
なお、図１および図３は、側壁部材２Ｌのみに後述するボール挿通プレート９ａが挿入され、側壁部材２Ｒの側には、ボール挿通プレートが挿入されていない状態を示している。また、図４および５は、側壁部材２Ｌにボール挿通プレート９ａが挿入されている状態を示している。一方、図６は、側壁部材２Ｌにボール挿通プレート９ａに替えて、後述するボール挿通プレート（交換部材）９ｄが挿入されている状態を示している。
【００５７】
（側壁部材）
図１に示すように一対の支持部材を構成する側壁部材２Ｌ，２Ｒは、それぞれ、通常の使用状態において、設置面ＳＵＦ１（図２参照）に対して、最大面積を有する側面を鉛直に起立させた状態で互いに離間〔離間距離Ｗ；図３（ａ）参照〕して設置される。離間距離Ｗは、本実施形態では、側壁部材２Ｌの側壁部材２Ｒに対向する面と、側壁部材２Ｒの側壁部材２Ｌに対向する面との間の距離を示している。また、本実施形態では、離間距離Ｗは、約１１２６ｍｍであるが、離間距離Ｗはこのような距離に限定されない。
【００５８】
また、以上のように、例えば実際にプレーするグリーン上で離間して設置すれば、パッティングラインが実際にプレーするグリーン上と同じ状況となり、気候や天候などで左右されるグリーンコンディションを十分反映させることができるため、より実戦的な練習用具として活用できる。
【００５９】
次に、側壁部材２Ｌ，２Ｒはそれぞれ、透明アクリル板（透明部材）を加工したものであり、通常の使用状態における下方側の端にボールを通過させるための通過口（第２の通過口）ｈ７、および通過口（第１の通過口）ｈ８が形成されている（図１参照）。
【００６０】
なお、通過口ｈ７は、ボール挿通プレート９ａが挿入されている状態での通過口を示しており、通過口ｈ８は、ボール挿通プレートが挿入されていない状態での通過口を示している。また、本実施形態では、上記のように、側壁部材２Ｌ，２Ｒは、透明アクリル板を下向きのコの字形状に加工したものであるが、ある程度の強度を有する材料であれば、どのような材料を用いても良い。また、透明アクリル板のように透明な材料でなくても良いが、側壁部材２Ｌ，２Ｒを介してボールのころがりの経路（軌道）を視認できるようにするためには透明な材料を使用することが好ましい。
【００６１】
次に、本実施形態の図１に示す通過口ｈ８の孔径は、図４に示す孔径ｄ２と同じであり、約１００ｍｍであるが、孔径ｄ２は、このような長さに限定されない。また、本実施形態の図４に示す距離Ｘ，Ｙは、それぞれ、約１９０ｍｍ、約１５０ｍｍであるが、距離Ｘ，Ｙは、このような長さに限定されない。側壁部材２Ｒについても同様である。
【００６２】
次に、図３（ａ）に示す側壁部材２Ｒ，２Ｌの厚さｄ３は、ともに約１０ｍｍであるが、厚さｄ３はこのような厚さに限定されない。
【００６３】
以上の構成により、グリーン上のホール際でゴルフパッティング練習用具１を用いてカップインまでの打撃練習を行う場合には、側壁部材２Ｌ，２Ｒ自体がカップまでのパッティングラインを視覚的に遮断することがないため、プレイヤーがパッティングする前にカップまでの距離感を明確にイメージできる。
【００６４】
また、側壁部材２Ｌ，２Ｒを介してボールのころがりの経路（軌道）を視認できるので、例えば、ホール際でゴルフパッティング練習用具１を用いた場合には側壁部材２Ｌ，２Ｒの通過口ｈ７またはｈ８の通過位置からホールの間における軌道の確認をしながら行うパッティングフォームの矯正も容易となる。
【００６５】
上記の特許文献１の技術では、支柱が障害となり、打球の転がる軌跡の確認ができないという問題点があるが、上記のように側壁部材２Ｌ，２Ｒを透明部材で構成すれば、このような問題点を克服することができる。
【００６６】
（梁部材）
梁部材７，８は、側壁部材２Ｌ，２Ｒのそれぞれが起立した状態で離間距離Ｗが変化することがないように側壁部材２Ｌ，２Ｒ間に掛け渡す固定梁である。
【００６７】
また、側壁部材２Ｌ，２Ｒには、それぞれ、梁部材７を挿通させるための挿通口が設けられており、梁部材７を側壁部材２Ｌ，２Ｒの対応する挿通口に挿通させ、側壁部材２Ｌ，２Ｒ間に梁部材７を掛け渡した状態で、梁部材７の両端からノブ７Ｌ，７Ｒでネジ止め固定される。梁部材８も同様に側壁部材２Ｌ，２Ｒ間に梁部材８を掛け渡した状態で梁部材８の両端からにぎり玉８Ｌ，８Ｒでネジ止め固定される。
【００６８】
本実施形態の梁部材７，８は、断面形状が円環形状の直径約８ｍｍのステンレスパイプ（ミスミ社製ＰＳＷＴ８‐５６０‐Ｍ）を用いて構成しているが、梁部材７，８はこのような材料に限られず、ある程度の強度を有する材料であれば、どのような材料を用いても良い。また、梁部材７，８の断面形状は、円環形状に限定されず、例えば、多角環形状であっても良い。また、梁部材７，８は、パイプ状の部材でなく、棒状の部材であっても良いが、軽量化を図る観点では、パイプ状の部材が好ましい。
【００６９】
次に、本実施形態では、ジョイント用ネジ（不図示；ミスミ社製ＭＳＳＵ５‐５，ＭＳＳＵ５‐２０）を用いて２本のステンレスパイプを連結させて梁部材７，８を構成している。このように複数のステンレスパイプを連結させることにより、側壁部材２Ｌ，２Ｒの離間距離Ｗ〔図３（ａ）参照〕を調整することが可能となる。
【００７０】
次に、本実施形態のノブ７Ｌ，７Ｒはそれぞれ、ローレットノブ（ミスミ社製ＭＯＭＳＣ８‐１７）を用いて構成しているが、ノブ７Ｌ，７Ｒはこのような材料に限られず、ある程度の強度を有する材料であれば、どのような材料を用いても良く、その外観形状も任意である。
【００７１】
また、本実施形態のにぎり玉８Ｌ，８Ｒはそれぞれ、にぎり玉（ミスミ社製ＰＣＡ８‐２０‐Ｂ）を用いて構成しているが、にぎり玉８Ｌ，８Ｒはこのような材料に限られず、ある程度の強度を有する材料であれば、どのような材料を用いても良く、その外観形状も任意である。例えば、ノブ７Ｌ，７Ｒをそれぞれにぎり玉に替えても良く、逆ににぎり玉８Ｌ，８Ｒをローレットノブに替えても良い。
【００７２】
上記の特許文献１の技術では、支柱をくい打ち固定しているだけなので、支柱が傾倒し易く、支柱が傾倒してしまうと、糸がたるんでしまうという問題点がある。
【００７３】
しかしながら、本実施形態のゴルフパッティング練習用具１では、側壁部材２Ｌ，２Ｒのそれぞれが、一定の距離だけ離間された状態で上記のように梁部材７，８の両端からネジ止め固定されているので、一端、側壁部材２Ｌ，２Ｒ間に糸３，４を張っておけば、その後は、糸３，４がたるんでしまうことはない。
【００７４】
（設置面固定用部材）
設置面固定用部材ｄ１‐Ｌ，ｄ２−Ｌは、Ｌ字状の固定部材であり、側壁部材２Ｌに取り付けた状態で、側壁部材２Ｌを設置面ＳＵＦ１に固定するために使用されるものである。設置面固定用部材ｄ１‐Ｒ，ｄ２‐Ｒも同様に側壁部材２Ｒに取り付けた状態で、側壁部材２Ｒを設置面ＳＵＦ１に固定するために使用されるものである。
【００７５】
次に、設置面固定用部材ｄ１‐Ｌ，ｄ２−Ｌには、それぞれ、ボルトＳ１〜Ｓ４に対応するネジ穴が設けられており、設置面固定用部材ｄ１‐Ｌ，ｄ２−Ｌのそれぞれは、図１に示すようにボルトＳ１〜Ｓ４で側壁部材２Ｌにネジ止め固定される。
【００７６】
また、設置面固定用部材ｄ２‐Ｌ，ｄ２−Ｌには、設置用ピンｎ１，ｎ２（図５参照）を挿通させるための挿通口が設けられており、側壁部材２Ｌは、設置用ピンｎ１，ｎ２に対応する挿通口に設置用ピンｎ１，ｎ２を挿通させて、設置面ＳＵＦ１に対してくい打ち固定される。なお、側壁部材２Ｒの設置面ＳＵＦ１に対する固定方法は、側壁部材２Ｌと同じなのでここでは説明を省略する。本実施形態の設置面固定用部材ｄ１‐Ｌ，ｄ２−Ｌおよび設置面固定用部材ｄ１‐Ｒ，ｄ２‐Ｒは、ステンレス製であるが、ある程度の強度を有する材料であれば、どのような材料を用いても良い。また、本実施形態では、ボルトＳ１〜Ｓ４は、ステンレスボルト（ミスミ社製ＳＣＢ５‐１５）を使用しているが、ある程度の強度を有する材料であれば、どのような材料を用いても良い。
【００７７】
（装着孔）
次に、側壁部材２Ｌ，２Ｒは、それぞれ、装着孔ｈ１〜ｈ４が設けられており、装着孔ｈ１〜ｈ４のそれぞれに対応する糸３，４が装着される。なお、装着孔ｈ１〜ｈ４の大きさについては後述する。
【００７８】
（糸）
図１に示すように、側壁部材２Ｌ，２Ｒ間には、糸３，４が張られている。図２に示すように糸３，４は、通常の使用状態において、設置面ＳＵＦ１に対して垂直に起立する所定の基準面ＳＵＦ２に含まれるように張られる。
【００７９】
このように側壁部材２Ｌ，２Ｒ間に一対の糸３，４が張られた状態において、図２に示すように、一対の糸３，４が互いに重なるようにプレイヤーの目の位置を移動させれば、アドレス時に鉛直真下を見たときのプレイヤーの視点の位置を、ゴルフボール３００の真上から見たときの中心の位置に置くことができる。また、ゴルフボール３００の上方からみて張られた一対の糸３，４の延在する方向に沿って視線を移動させればプレイヤーは転がるゴルフボール３００に、容易に視線を追従させることができる。
【００８０】
なお、本実施形態では、糸３，４は、それぞれ、スミ出し用白糸巻き（タジマ社製ＰＳ‐ＳＩＪＭ）の白糸を使用しているが、どのような糸を用いても良い。また、線状部材は、糸ではなく紐でも良く、ゴム材料や金属素材などで構成されていても良い。
【００８１】
糸３，４のそれぞれの一方の端には、ワッシャ３ａ，４ａが設けられており、他方の端には糸巻き器３ｂ，４ｂが設けられている。
【００８２】
（糸巻き器）
本実施形態の糸巻き器３ｂ，４ｂは、スミ出し用白糸巻き（タジマ社製ＰＳ‐ＳＩＪＭ）で構成されており、糸３，４を引っ張り出したり、延長したり、糸３，４を巻き取ったりする機能を有しており、糸巻き器３ｂ，４ｂから引っ張り出された糸３，４の長さは可変となっている。このため、糸巻き器３ｂ，４ｂからワッシャ３ａ，４ａまでの距離は可変となっている。また、糸巻き器３ｂ，４ｂは、ある程度の重さを有しており、本実施形態では、錘としての役割を有している。
【００８３】
これにより、仮に側壁部材２Ｌ，２Ｒ間の距離が変化しても、一定の張力（糸３，４のそれぞれに作用する張力）が得られるため、側壁部材２Ｌ，２Ｒの傾きや風の影響による糸３，４の位置の変動（揺動）が生じにくい。
【００８４】
また、側壁部材２Ｌ，２Ｒが設置されるときの離間距離Ｗを変えても、それに応じて糸巻き器３ｂ，４ｂからワッシャ３ａ，４ａまでの距離を調整するだけで所定の張りが得られるので任意のパッティング距離に応じたバックストローク幅の習得が容易となる。
【００８５】
（ワッシャ）
次に、糸巻き器３ｂ，４ｂから引っ張り出した糸３，４のそれぞれの一端にはワッシャ３ａ，４ａ（ミスミ社製ＷＳＳＨ１６‐８‐２）が結び付られている。
【００８６】
また、側壁部材２Ｌ，２Ｒの装着孔ｈ１〜ｈ４は、ワッシャ通し用の孔であり、それぞれ、縦方向（鉛直方向）に沿ってワッシャ３ａ，４ａの最大径よりも大きく、横方向（水平方向）に沿ってワッシャ３ａ，４ａの厚みよりも大きい孔（本実施形態では約３ｍｍ）となっている。
【００８７】
このため、図１に示すように、ワッシャ３ａ，４ａを側壁部材２Ｒの装着孔ｈ３，ｈ４の側から挿通させて引き伸ばし、さらに装着孔ｈ３，ｈ４に挿通させた後、ワッシャ３ａ，４ａの最大面積を有する面を水平方向に向けてひねることにより、ワッシャ３ａ，４ａが、装着孔ｈ１、ｈ２から離れないようにすることができる。
【００８８】
なお、本実施形態では糸３，４の一端にワッシャ３ａ，４ａを結び付ているが、同様の機能を有するものであれば、どのようなものでも良く、ワッシャ３ａ，４ａ以外の装着部材を設けても良い。
【００８９】
（案内バー）
次に、案内バー５は、ゴルフクラブの移動方向を案内するために基準面ＳＵＦ２から離間して設置される案内部材である。また、本実施形態の案内部材は、断面形状が円環形状の直径約８ｍｍのステンレスパイプ（ミスミ社製ＰＳＷＴ８‐５６０‐Ｍ）を用いて構成しているが、案内バー５はこのような材料に限られず、ある程度の強度を有する材料であれば、どのような材料を用いても良い。案内バー５の断面形状は、円環形状に限定されず、例えば、多角環形状であっても良い。また、案内バー５は、パイプ状の部材でなく、棒状の部材であっても良いが、軽量化を図る観点では、パイプ状の部材が好ましい。
【００９０】
また、本実施形態では、ジョイント用ネジ（ミスミ社製ＭＳＳＵ５‐５，ＭＳＳＵ５‐２０）を用いて２本のステンレスパイプを連結させて案内バー５を構成している。このように複数のステンレスパイプを連結させることにより、側壁部材２Ｌ，２Ｒの離間距離Ｗを調整することが可能となる。
【００９１】
次に、ノブ５Ｌ，５Ｒはそれぞれ、ローレットノブ（ミスミ社製ＭＯＭＳＣ８‐１７）を用いて構成しているが、ノブ５Ｌ，５Ｒはこのような材料に限られず、ある程度の強度を有する材料であれば、どのような材料を用いても良い。また、ノブ５Ｌ，５Ｒを上述したにぎり玉に替えても良い。
【００９２】
以上の説明によれば、ゴルフパッティング練習用具１は、図２に示すように、一対の糸３，４を対応する装着孔ｈ１〜ｈ４に装着し、側壁部材２Ｌ，２Ｒ間に糸３，４が張られた状態において、糸３，４が互いに重なるようにプレイヤーの目の位置を移動させれば、アドレス時に鉛直真下を見たときのプレイヤーの視点の位置を、ゴルフボール３００の真上から見たときの中心の位置に置くことができる。また、ゴルフボール３００の上方からみて一対の糸３，４の延在する方向に沿って視線を移動させればプレイヤーは容易に転がるボールに視線を追従させることができる。
【００９３】
また、側壁部材２Ｌ，２Ｒ間にしっかりと張られた一対の糸３，４の延在する方向と、ゴルフパター１００のヘッド１００ｈのフェイス面（以下、単に「フェイス面」という）の向きとを直角にすることで、アドレス時にフェイス面の向きが目的の打球方向と直角になっていることを確認することができる。
【００９４】
また、しっかりと張られた一対の糸３，４の延在する方向、または案内バー５が延在する方向と、両肩が延在する方向とをほぼ一致させることにより、アドレス時および打球時において、両肩が目標の打球方向に対してほぼ平行になるように姿勢を安定して保つことができる。
【００９５】
さらに、図２に示すように、案内バー５にゴルフパター１００のシャフト１００Ｓを接触させた状態でストロークすることにより、スイング方向をほぼ打球方向に一致させることができる。
【００９６】
また、上述したようにアドレス時にプレイヤーの視点の位置を、ゴルフボール３００の真上から見たときの中心の位置に置くことで、ゴルフボール３００の中心と、案内バー５により案内されるゴルフパター１００のヘッド１００ｈのフェイス面の中心（スイートスポット）とを一致させた状態からの打撃を行い、打撃されたゴルフボール３００のころがりの経路（軌道）と一対の糸３，４の延在する方向とのずれを矯正していく練習を行うことにより、安定したパッティングフォームを固めることができる。
【００９７】
（調整機構）
次に、上記の特許文献４〜６に示すように、様々なライ角（シャフトとヘッドのなす角）を有するパターが存在する。
【００９８】
このため、単に案内バー５と基準面ＳＵＦ２との間の距離Ｚを単純に固定しただけの構成では様々なライ角を有するパターに適応させることができないという新たな問題点が生じる。この問題点は、言うまでもなく上記各文献のいずれにも記載ないし示唆のない新規な問題点であると考えられる。
【００９９】
このようなさらなる新規な問題点を克服するため、改良を重ねゴルフパッティング練習用具１では、案内バー５と基準面ＳＵＦ２との距離を調整する調整機構６Ｌ，６Ｒを備える構成としている。
【０１００】
図４および図５に示すように、調整機構６Ｌには、それぞれ、案内バー５を挿通させるための調節孔ｈ５が設置面ＳＵＦ１と略平行に設けられており、案内バー５を調節孔ｈ５に挿通させ、側壁部材２Ｌ，２Ｒ間に案内バー５を掛け渡した状態で、案内バー５の両端からノブ５Ｌ，５Ｒでネジ止め固定される（図１参照）。なお、調節孔ｈ５の延在する方向は、設置面ＳＵＦ１と略平行でなくても良い。
【０１０１】
図４に示す調節孔ｈ５は長孔形状であって、その孔長径ｗは約６５ｍｍ、孔短径ｄは約８ｍｍであり、案内バー５を挿通することが可能となっている。また、同図に示すように調節孔ｈ５には、案内バー５と基準面ＳＵＦ２との距離Ｚ（図２参照）を調整することが可能なスペース（開口）が設置面ＳＵＦ１と略平行の方向へ延びるように存在している。また、調整機構６Ｌには、それぞれ、距離Ｚを調整しやすいように目盛りを付している。これにより、案内バー５と基準面ＳＵＦ２との距離Ｚ（図２参照）を適宜変更した後であっても、記録した（記憶した）元の目盛りに合わせればよくその分再現性を高めることができる。
【０１０２】
例えば、図４に示すゴルフパター１００のライ角（シャフト１００Ｓとヘッド１００ｈとの為す角度）は、図５に示すゴルフパター２００のライ角（シャフト２００Ｓとヘッド２００ｈとの為す角度）よりも大きい。
【０１０３】
このため、図４に示す例では、図５に示す例よりも距離Ｚが大きくなるように調節孔ｈ５における案内バー５の位置が調整され、図５に示す例では、図４に示す例よりも距離Ｚが小さくなるように調節孔ｈ５における案内バー５の位置が調整されている。
【０１０４】
つまり、初期の案内バー５の位置調整時において糸３，４が重なって見える位置に視点の位置を固定した状態で観察し、使用するゴルフパター１００のシャフト１００Ｓを図２に示すように案内バー５に当接させながら一対の糸３，４とヘッド１００ｈのスイートスポットが一直線上に合致するように案内バー５の位置を可変調整できるので、容易かつ正確に案内バー５と基準面ＳＵＦ２との距離を調整ができる。これにより、一対の糸３，４が案内バー５の位置を調整する際の基準となり、現物合わせが容易となる。また、ゴルフクラブの構造上の違い（例えば、上述したゴルフパター１００のシャフト１００Ｓとヘッド１００ｈの角度＜ゴルフパター１００のライ角＞の違いと、ゴルフパター２００におけるシャフト２００Ｓとヘッド２００ｈの角度＜ゴルフパター２００のライ角＞との差異）にも対応が容易である。
【０１０５】
なお、上記の孔長径ｗおよび孔短径ｄは、上記の長さに限定されず、必要に応じて適切な長さに設定すれば良い。また、調整機構６Ｒおよび調節孔ｈ６についても同様であるので、ここでは説明を省略する。
【０１０６】
また、調整機構６Ｌ、６Ｒは、それに対応する調節孔ｈ５、ｈ６が設置面ＳＵＦ１と略平行の方向へ延びる長孔形状であるため、案内バー５の高さが一定の状態での調整が可能となっているが、他に設置面ＳＵＦ１からの高さの変更を伴うような、例えば設置面ＳＵＦ１に対して傾斜角度を有する調節孔であったり、案内バーが延設方向側から見て円弧状に回動又は回転するような機構であったりしても構わない。
【０１０７】
以上により、パターのシャフトとヘッドとの間の角度＜ライ角＞の差異などのゴルフクラブの構造上の違いに関わらず、アドレス時および打球時における重要な観点について総合的にパッティングフォームの矯正を行うことができる。
【０１０８】
なお、ゴルフパッティング練習用具１によれば、使用の際は、側壁部材２Ｌ，２Ｒ間に一対の糸３，４を張り、案内バー５を設置すれば良いので、分解、組立ておよび設置が容易で、実際にプレーするグリーン上でも簡単に練習ができるという副次的効果も期待できる。
【０１０９】
（ボール挿通プレート）
次に、図１、図４、図５および図６に基づき、ボール挿通プレート（交換部材）９ａおよびボール挿通プレート（交換部材）９ｄについて説明する。
【０１１０】
ボール挿通プレート９ａは、図１に示す通過口（第１の通過口）ｈ８の開口面積（または孔径ｄ２）よりも小さな図１、図４および図５に示す開口面積（または孔径ｄ１）の通過口（第２の通過口）ｈ７を有するものである。
【０１１１】
同様に、ボール挿通プレート９ｄは、下向きのコの字形状をなし、図１に示す通過口（第１の通過口）ｈ８の開口面積（または孔径ｄ２）よりも小さな図６に示す開口面積（または孔径ｄ４）の通過口（第２の通過口）ｈ９を有するものである。
【０１１２】
また、ボール挿通プレート９ａの通過口ｈ７の開口面積（孔径ｄ１）は、ゴルフボール３００の断面積（外径）の最大値〔例えば、ゴルフボール３００の中心を通る最大面積の仮想円の断面積（直径）〕よりも大きく、後述するボール挿通プレート９ｄの通過口（第２の通過口）ｈ９の開口面積（孔径ｄ４）よりも小さい。
【０１１３】
また、本実施形態では、図４に示すボール挿通プレート９ａの通過口ｈ７の孔径ｄ１は、約５５ｍｍであるが、孔径ｄ１はこのような長さに限定されず、ゴルフボール３００の外径の最大値よりも大きく、孔径ｄ２よりも小さければ良い。
【０１１４】
さらに、図６に示すボール挿通プレート９ｄの孔径ｄ４は、約８０ｍｍであるが、孔径ｄ４はこのような長さに限定されず、ゴルフボール３００の外径の最大値および孔径ｄ１よりも大きく、孔径ｄ２よりも小さければ良い。
【０１１５】
本実施形態のボール挿通プレート９ａ，９ｄは、それぞれ透明アクリル板を加工したものであるが、ある程度の強度を有する材料であれば、どのような材料を用いても良い。また、透明アクリル板のように透明な材料でなくても良いが、ボール挿通プレート９ａ，９ｄを介してボールのころがりの経路（軌道）を視認できるようにするためには透明な材料を使用することが好ましい。
【０１１６】
上記の各図に示すように、側壁部材２Ｌ（または側壁部材２Ｒ）に対して、通過口ｈ７（またはｈ９）が通過口ｈ８の内側に位置するように、ボール挿通プレート９ａ，９ｄが設置（挿入）されていても良い。また、ボール挿通プレート９ａ，９ｄは、それぞれ、孔径ｄ１、ｄ４と異なる孔径を有する任意のボール挿通プレート（交換部材）と交換可能となっていても良い。
【０１１７】
本実施形態では、側壁部材２Ｌ（または側壁部材２Ｒ）は、ボール挿通プレートを挿入していない状態とするか、または、必要に応じてボール挿通プレート９ａ，９ｄのいずれかを挿入することによって、それぞれ、ゴルフボール３００が通過する通過口の孔径を約１００ｍｍ、約８０ｍｍおよび約５５ｍｍの３種類の孔径の中から選択できるようになっている。
【０１１８】
上記の構成によれば、容易に開口面積の異なるボール挿通プレートに交換できるため、使用者のレベルに応じてパッティングの難易度を可変できる。つまり、上級者は、初級者に比べより開口面積の小さい通過口を有する交換部材に交換することにより、レベルに応じた練習が可能となる。
【０１１９】
例えば、ボール挿通プレート９ａをボール挿通プレート９ｄに交換することにより、使用者のレベルに応じてパッティングの難易度を可変できる。
【０１２０】
なお、図５に示すように、側壁部材２Ｌに挿入されたボール挿通プレート９ａの水平方向の両端の側には、プレート固定部材９ｂ，９ｃが設けられており、プレート固定部材９ｂのプレート固定部材９ｃに対向する面の側には、プレート固定部材９ｂ，９ｃ間にボール挿通プレート９ａを挿入し、嵌合させるための嵌合溝が設けられている。一方、プレート固定部材９ｃのプレート固定部材９ｂに対向する面の側には、プレート固定部材９ｂ，９ｃ間にボール挿通プレート９ａを挿入し、嵌合させるための嵌合溝が設けられている。
【０１２１】
ボール挿通プレート９ａは、設置面ＳＵＦ１側からプレート固定部材９ｂ，９ｃ間に挿入し、嵌合溝に嵌合された後は、固定用ピンＳ９，Ｓ１０で挿入位置が規制される。なお、固定用ピンは、図１の側壁部材２Ｒのように固定用ピンＳ１７を１つ設ける構成としても良く、３個以上設ける構成としても良い。
【０１２２】
〔付記事項〕
なお、本発明は、上述した実施形態に限定されるものではなく、請求項に示した範囲で種々の変更が可能であり、異なる実施形態にそれぞれ開示された技術的手段を適宜組合せて得られる実施形態についても本発明の技術的範囲に含まれる。
【産業上の利用可能性】
【０１２３】
本発明のゴルフパッティング練習用具は、アドレス時および打球時における重要な観点について総合的にパッティングフォームの矯正を行うことができるので、ゴルフパッティング練習用具として有用である。
【符号の説明】
【０１２４】
１  ゴルフパッティング練習用具
２Ｌ，２Ｒ  側壁部材（支持部材）
３，４  糸（線状部材）
３ａ，４ａ  ワッシャ
３ｂ，４ｂ  糸巻き器（錘）
５  案内バー（案内部材）
５Ｌ，５Ｒ  ノブ
６Ｌ，６Ｒ  調整機構
７，８  梁部材
７Ｌ，７Ｒ  ノブ
８Ｌ，８Ｒ  にぎり玉
９ａ，９ｄ  ボール挿通プレート（交換部材）
９ｂ，９ｃ  プレート固定部材
１００  ゴルフパター
２００  ゴルフパター
１００Ｓ  シャフト
２００Ｓ  シャフト
１００ｈ  ヘッド
２００ｈ  ヘッド
ｄ  孔短径
ｄ１  孔径
ｄ２  孔径
ｄ３  厚さ
ｄ４  孔径
ｄ１‐Ｌ，ｄ２‐Ｌ  設置面固定用部材
ｄ１‐Ｒ，ｄ２‐Ｒ  設置面固定用部材
ｈ１〜ｈ４  装着孔
ｈ５，ｈ６  調節孔
ｈ７，ｈ９  通過口（第２の通過口）
ｈ８  通過口（第１の通過口）
ｎ１,ｎ２  設置用ピン
Ｓ１〜Ｓ８  ボルト
Ｓ９，Ｓ１０  固定用ピン
Ｓ１７  固定用ピン
Ｓ１１〜Ｓ１６  ボルト
ＳＵＦ１  設置面
ＳＵＦ２  基準面
Ｗ  離間距離
ｗ  孔長径
Ｘ  長さ
Ｙ  長さ
Ｚ  距離
【図１】
2013094550.tif 000003
【図２】
2013094550.tif 000004
【図３】
2013094550.tif 000005
【図４】
2013094550.tif 000006
【図５】
2013094550.tif 000007
【図６】
2013094550.tif 000008
【手続補正書】
【提出日】平成24年7月11日(2012.7.11)
【手続補正１】
【補正対象書類名】特許請求の範囲
【補正対象項目名】全文
【補正方法】変更
【補正の内容】
【特許請求の範囲】
【請求項１】
互いに離間して設置される一対の支持部材を少なくとも含むゴルフパッティング練習用具であって、
上記一対の支持部材は、上記ゴルフパッティング練習用具が設置される設置面に対して垂直に起立する所定の基準面に含まれるように張られる一対の線状部材を装着するための一対の装着孔を有し、
上記一対の支持部材によって支持され、ゴルフクラブの移動方向を当該ゴルフクラブのシャフトと当接しながら案内するために上記基準面から離間し、かつ、上記一対の支持部材に固定される位置が可変調整可能に設置される案内部材と、
上記一対の支持部材において上記設置面に対して略平行の方向へ延びるように設けられた長孔形状の開口に上記案内部材を挿通させて、上記一対の支持部材間に上記案内部材を掛け渡した状態で上記案内部材を固定することにより、上記案内部材と上記基準面との距離を調整することが可能な調整機構とを備えることを特徴とするゴルフパッティング練習用具。
【請求項２】
上記調整機構には、上記一対の支持部材における上記長孔形状の開口の延在方向に沿って、上記案内部材と上記基準面との距離を調整しやすくするための目盛りが付されていることを特徴とする請求項１に記載のゴルフパッティング練習用具。
【請求項３】
さらに、上記一対の線状部材を含み、
上記一対の装着孔に対応して上記一対の線状部材が装着され、
上記案内部材が、上記基準面から所定の距離だけ離間して設置されていることを特徴とする請求項１または２に記載のゴルフパッティング練習用具。
【請求項４】
上記一対の支持部材の少なくとも一方は、
透明部材から構成されており、通常の使用状態における下方側の端にボールを通過させるための第１の通過口が形成されていることを特徴とする請求項１から３までのいずれか１項に記載のゴルフパッティング練習用具。
【請求項５】
上記第１の通過口の開口面積よりも小さな開口面積の第２の通過口を有する交換部材を含み、
上記一対の支持部材の少なくとも一方に対して、上記第２の通過口が上記第１の通過口の内側に位置するように、上記交換部材が設置されていることを特徴とする請求項４に記載のゴルフパッティング練習用具。
【請求項６】
上記一対の装着孔のそれぞれに装着された上記一対の線状部材のそれぞれの一端に錘が設けられており、
上記一対の線状部材のそれぞれの他端から上記一端までの長さが可変となっていることを特徴とする請求項１から５までのいずれか１項に記載のゴルフパッティング練習用具。